(57)【要約】【課題】本発明は、ロータリー鋸盤を提供する。【解決手段】基座と鋸刃座及び鋸刃カバーから構成され、鋸刃座の開口に対応する一側に、少なくとも一つの第１の対流孔が形成され、鋸刃カバーの鋸刃に面する壁面に、少なくとも一つの、第１の対流孔に合わせて気流を生成する第２の対流孔が形成され、これにより、気流の流動が促進され、ロータリー鋸で切断することにより生成した屑の粉塵が、完全に、鋸刃カバー内に滞在し、有効に、集塵効率が向上され、また、鋸刃座と鋸刃カバーから、それぞれ、鋸刃に向って、上記鋸刃だけが通せ、気流対流効率が向上される被覆シートが伸び、開口に上記鋸刃だけが通せるため、大幅に、集塵効率が向上され、高度に屑の粉塵が収集される効果が得られるため、作業環境が、清潔に保持される。【選択図】図3
2011079182.tif 000002
【特許請求の範囲】
【請求項１】
基座と鋸刃座及び鋸刃カバーから構成され、上記鋸刃座が、上記基座の一端に枢着され、上記鋸刃座の一側に、外周縁面積が一致する鋸刃カバーがロックされ、上記鋸刃座と上記鋸刃カバーとが枢着された位置に、集塵チャンネルが形成され、上記鋸刃座と上記鋸刃カバーとに、開口が形成され、また、上記鋸刃座において、所定の位置に、モーターによって駆動され、上記開口に通す鋸刃がロックされるロータリー鋸盤であって、
上記鋸刃座の開口に対応する一側に、少なくとも一つの第１の対流孔が形成され、上記鋸刃カバーの上記鋸刃に面する壁面に、少なくとも一つの上記第１の対流孔に合わせて、気流を発生する第２の対流孔が形成され、上記鋸刃座と上記鋸刃カバーとから、それぞれ、上記鋸刃に向って、上記鋸刃だけが通せ、気流対流効率を向上する被覆シートが伸び、上記開口に、上記鋸刃だけが通せる、
ことを特徴とするロータリー鋸盤。
【請求項２】
上記鋸刃座の上記鋸刃に面する壁面から、複数の気流の排出を遅延でき、完全に、雑品を阻む第１の阻隔シートが伸びることを特徴とする請求項１に記載のロータリー鋸盤。
【請求項３】
上記鋸刃カバーの上記鋸刃に面する壁面から、複数の気流の排出を遅延でき、完全に、雑品を阻む第２の阻隔シートが伸びることを特徴とする請求項１に記載のロータリー鋸盤。
【発明の詳細な説明】
【技術分野】
【０００１】
本発明は、切断機に関し、特に、高度清潔効率を有し、より良い安全性や便利性が得られるロータリー鋸盤に関する。
【背景技術】
【０００２】
一般のロータリー鋸盤は、木や他の類似する構造の木材を切断するものであり、ロータリー鋸盤は、屑の粉塵を発生することを防止できず、屑の粉塵を収集できる市販の既存ロータリー鋸盤は、粉塵を収集する収集構造が備えられ、図１は、従来のロータリー鋸盤の粉塵を収集する構造であり、上記ロータリー鋸盤１は、本体１０と基部１２があり、本体１０の周辺に、粉塵収集ケーシング１４が設置され、基部１２が、本体１０の底部に設けられ、基部１２に、被切断物（例えば、木や他の類似する構造材料）が設置された後、本体１０内に位置し、モーターによって駆動される鋸刃１６は、逆時計回りに回転し、鋸刃１６の前縁が、上の方向へ回転し、鋸刃１６の後縁が、下へ回転するため、ロータリー鋸が、右へ変位し、そのため、木や他の類似する構造材料を、上方向へ回転する鋸刃１６で、切断する。
【０００３】
切断操作期間に発生した屑の粉塵は、鋸刃１６の慣性と、鋸刃１６の回転による空気気流とにより、矢印Ａのように、上へ吹き上げられる。
【０００４】
上記の粉塵収集構造は、屑の粉塵の比重が、極めて小さい時、有効に収集できず、また、空気が流動することにより、屑の粉塵が、開口を介して、再び釈放される恐れがあり、そのため、全体として、粉塵収集効果が、悪くなり、有効に、集塵の効果が得られなく、作業環境が汚くなる。
【０００５】
本発明者は、上記欠点を解消するため、慎重に研究し、また、学理を活用して、有効に上記欠点を解消でき、設計が合理である本発明を提案する。
【発明の開示】
【発明が解決しようとする課題】
【０００６】
本発明の主な目的は、ロータリー鋸盤を提供し、上記ロータリー鋸盤は、基座と鋸刃座及び鋸刃カバーから構成され、鋸刃座の開口に対応する一側に、少なくとも一つの第１の対流孔が形成され、鋸刃カバーの鋸刃に面する壁面に、少なくとも一つの第１の対流孔に合わせて気流を発生する第２の対流孔が形成され、これにより、気流の流動が促進されるだけでなく、同時に、上記らの対流孔による加圧効果により、残された少量の粉塵が、集塵チャンネルから排出される。
【０００７】
本発明の他の目的は、鋸刃座と鋸刃カバーとから、それぞれ、鋸刃に向って上記鋸刃だけが通せ、気流対流効率が向上される被覆シートが伸び、上記の開口に、上記鋸刃だけが通せるため、大幅に、集塵効率が向上され、また、屑の粉塵を収集する効果が向上されるロータリー鋸盤を提供する。
【０００８】
本発明の更に他の目的は、上記構造により、大幅に、集塵効率が向上されるだけでなく、屑の粉塵を収集する効果が向上され、簡素な構造により、コストの低減が実現され、また、耐用寿命の向上と、より優れた安全性と作業環境が達成される等の利点が得られるロータリー鋸盤を提供する。
【課題を解決するための手段】
【０００９】
請求項１の発明は、基座と鋸刃座及び鋸刃カバーから構成され、上記鋸刃座が、上記基座の一端に枢着され、上記鋸刃座の一側に、外周縁面積が一致する鋸刃カバーがロックされ、上記鋸刃座と上記鋸刃カバーとが枢着された位置に、集塵チャンネルが形成され、上記鋸刃座と上記鋸刃カバーとに、開口が形成され、また、上記鋸刃座において、所定の位置に、モーターによって駆動され、上記開口に通す鋸刃がロックされるロータリー鋸盤であって、上記鋸刃座の開口に対応する一側に、少なくとも一つの第１の対流孔が形成され、上記鋸刃カバーの上記鋸刃に面する壁面に、少なくとも一つの上記第１の対流孔に合わせて、気流を発生する第２の対流孔が形成され、上記鋸刃座と上記鋸刃カバーとから、それぞれ、上記鋸刃に向って、上記鋸刃だけが通せ、気流対流効率を向上する被覆シートが伸び、上記開口に、上記鋸刃だけが通せる、ことを特徴とするロータリー鋸盤である。
【００１０】
請求項２の発明は、上記鋸刃座の上記鋸刃に面する壁面から、複数の気流の排出を遅延でき、完全に、雑品を阻む第１の阻隔シートが伸びることを特徴とする請求項１に記載のロータリー鋸盤である。
【００１１】
請求項３の発明は、上記鋸刃カバーの上記鋸刃に面する壁面から、複数の気流の排出を遅延でき、完全に、雑品を阻む第２の阻隔シートが伸びることを特徴とする請求項１に記載のロータリー鋸盤である。
【００１２】
以下、図面を参照しながら、本発明の特徴や技術内容について、詳しく説明するが、それらの図面等は、参考や説明のためであり、本発明は、それによって制限されることが無い。
【発明を実施するための最良の形態】
【００１３】
図２と図３は、本発明のより良い実施例の立体概念図と分解概念図であり、図から分かるように、本発明に係るロータリー鋸盤２は、基座２０と鋸刃座２２及び鋸刃カバー２４から構成され、上記鋸刃座２２は、上記基座２０の一端に枢着され、上記鋸刃座２２の一側に、外周縁面積が一致する鋸刃カバー２４がロックされ、上記鋸刃座２２と上記鋸刃カバー２４とが枢着された位置に、集塵チャンネル２６が形成され、上記鋸刃座２２と上記鋸刃カバー２４とに、開口３が形成され、また、上記鋸刃座２２において、所定の位置に、モーターによって駆動され、上記開口３に通す鋸刃２８がロックされ、上記鋸刃座２２の開口３に対応する一側２２０に、少なくとも一つの第１の対流孔２２２が形成され、上記鋸刃カバー２４の上記鋸刃２８に面する壁面２４２に、少なくとも一つの、上記第１の対流孔２２２に合わせて、気流を発生する第２の対流孔２４４が形成され、上記鋸刃座２２と上記鋸刃カバー２４とから、それぞれ、上記鋸刃２８に向って、上記鋸刃２８だけが通せ、気流対流効率を向上する被覆シート２９が伸び、上記開口３に、上記鋸刃２８だけが通せる。
【００１４】
また、集塵チャンネル２６において、鋸刃２８の両側の局部に覆うように、出口４０と入り口４２を有する集塵カーバー４が形成され、また、入り口４２に、上記集塵カーバー４と上記基座２０との間にある隙間を封止する集塵スリーブ５が接続される。  
【００１５】
図４は、本発明の鋸刃が回転する時と上記らの対流孔による気流が生成した状態の概念図であり、図から分かるように、図３のように、ロータリー鋸盤２を駆動すると、モーターにより、鋸刃２８が駆動され、回転している鋸刃２８が、空気と摩擦して気流が生成され、この時、切断される木や他の類似する構造材料によって、生成された屑の粉塵は、気流によって飛散するが、上記のロータリー鋸盤２に一体成型の集塵チャンネル２６を設置して、整流設計を利用するため、有効に、上記らの屑の粉塵が、収集される。
【００１６】
また、鋸刃座２２の開口３の一側２２０に、少なくとも一つの第１の対流孔２２２が形成され、そして、鋸刃カバー２４の上記鋸刃２８に面する壁面２４２に、少なくとも一つの、上記第１の対流孔２２２に合わせて気流を発生する第２の対流孔２４４が形成されるため、鋸刃２８が稼動されて集塵チェンネルにより空気を吸引する時、内部において、負の圧力状態になり、これにより、粉塵が完全に集塵チェンネルにより吸引され、また、第１の対流孔222と第２の対流孔244が形成されるため、負の圧力問題が解消されて、気流均衡が実現される。
【００１７】
上記集塵チャンネル２６だけでなく、鋸刃座２２に形成された対流孔により、より効率的に整流の目的が達成でき、また、粉塵を有する気流と、綺麗な気流とが、分離されるため、気流の流動が促進されるだけでなく、同時に、上記らの対流孔による加圧効果により、残された少量の粉塵が、集塵チャンネルから排出される。
【００１８】
鋸刃座２２と鋸刃カバー２４とから、それぞれ、鋸刃２８に向って、鋸刃２８だけが通せ、気流対流効率が向上される被覆シート２９が伸び、開口３に、上記鋸刃２８だけが通せるため、ロータリー鋸で切断することにより生成した屑の粉塵が、完全に、鋸刃座２２と鋸刃カバー２４内に引き止められ、また、有効に、集塵効率が向上される。
【００１９】
図５は、本発明の他のより良い実施例で、上記らの対流孔と上記らの阻隔シートとを利用して、気流の排出を遅延し、また、集塵効率が向上される時の内部稼動状態概念図であり、図から分かるように、鋸刃座２２ａの上記鋸刃２８ａに面する内壁面２２４ａから、複数の第１の阻隔シート２２６ａが伸び、これにより、気流の排出が遅延され、また、雑物が完全に阻まれ、また、鋸刃カバー２４ａの鋸刃２８ａに面する内壁面２４６ａから、複数の第２の阻隔シート２４８ａが伸び、上記らの第２の阻隔シート２４８ａにより、、気流の排出が遅延され、また、雑物が完全に阻まれ、上記のように、空気が、鋸刃座２２ａと鋸刃カバー２４ａ内に位置する時、第１の阻隔シート２２６ａと第２の阻隔シート２４８ａにより阻まれ、空気が、内部に、より長い時間に滞在し、同時に、空気中の屑の粉塵が、各阻隔シートによって阻まれる。
【００２０】
そのため、本発明は、より進歩的かつより実用的で、法に従って特許請求を出願する。
【００２１】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００２２】
【図１】従来のロータリー鋸盤の粉塵収集構造
【図２】本発明のより良い実施例の立体概念図
【図３】本発明のより良い実施例の分解概念図
【図４】本発明の鋸刃が回転する時と上記らの対流孔による気流状態の概念図
【図５】本発明の他のより良い実施例の上記らの対流孔と上記らの阻隔シートを利用して、気流の排出を遅延して集塵効率を向上する内部稼動状態の概念図
【符号の説明】
【００２３】
１  ロータリー鋸盤
１０  本体
１２  基部
１４  粉塵収集ケーシング
１６  鋸刃
２  ロータリー鋸盤
２０  基座
２２、２２ａ  鋸刃座
２２０  一側
２２２  第１の対流孔
２２４ａ、２４６ａ  内壁面
２２６ａ  第１の阻隔シート
２４、２４ａ  鋸刃カバー
２４２  壁面
２４４  第２の対流孔
２４８ａ  第２の阻隔シート
２６  集塵チャンネル
２８、２８ａ  鋸刃
２９  被覆シート
３  開口
４  集塵カーバー
４０  出口
４２  入り口
５  集塵スリーブ
【図１】
2011079182.tif 000003
【図２】
2011079182.tif 000004
【図３】
2011079182.tif 000005
【図４】
2011079182.tif 000006
【図５】
2011079182.tif 000007